(57)【要約】【課題】  一般的な住居の流し台付近に場所を取らずに小型で容易に設置することができるとともに、台所用品又は洗剤吐出具その他の用品を所望の位置及び角度で保持することが可能なホルダーを提供する。【解決手段】  流し台周辺の壁面又は縁に取付け得る取付部材１０と、台所用品又は洗剤吐出具３０その他の用品を保持する保持部材２０と、からなり、取付部材１０は、湾曲状のアーム部１１と、該アーム部１１の両端に回動自在に軸支される吸着部１２と、アーム部１１の長手方向に形成されるガイド孔１３と、を備え、保持部材２０は、ガイド孔１３に摺動自在に固定させ得る固定手段を有することを特徴とするホルダー。【選択図】  図１
2018000555.tif 000002
【特許請求の範囲】
【請求項１】
流し台周辺の壁面又は縁に取付け得る取付部材と、台所用品又は洗剤吐出具その他の用品を保持する保持部材と、からなり、前記取付部材は、湾曲状のアーム部と、該アーム部の両端に回動自在に軸支される吸着部と、前記アーム部の長手方向に形成されるガイド孔と、を備え、前記保持部材は、前記ガイド孔に摺動自在に固定させ得る固定手段を有することを特徴するホルダー。
【請求項２】
固定手段は、保持部材に形成された雌ねじ部と、取付部材のガイド孔に嵌挿するとともに前記雌ねじ部にねじ込んで締め付け得る雄ねじ部を有する締結具と、からなり、前記取付部材のアーム部には、前記締結具と当接する凹凸面を有することを特徴とする請求項１記載のホルダー。
【請求項３】
保持部材は、液体洗剤容器を倒立して保持する第一係合部と、液体洗剤を吐出する液体吐出具を係合する第二係合部と、を有することを特徴とする請求項１又は２のいずれか一項に記載のホルダー。
【請求項４】
液体吐出具は、液体洗剤を貯溜する貯溜部と、前記貯溜部内に備えるポンプと、該ポンプを圧縮するレバーと、からなり、前記貯溜部の下端に吐出口を設け、前記吐出口にレバーを嵌挿したとき、レバー上部を前記吐出口に嵌合し、レバー下部を前記貯溜部の下方に露出して配置することを特徴とする請求項３記載のホルダー。
【請求項５】
ポンプ下部に、レバー上部を嵌合する空気孔を設け、前記空気孔と前記レバー上部との間に間隙を有することを特徴とする請求項４記載のホルダー。
【発明の詳細な説明】
【技術分野】
【０００１】
本発明は、流し台周辺の壁又は縁に取付け、台所用品又は洗剤吐出具その他の用品を保持するホルダーに関する。
【背景技術】
【０００２】
従来、流し台などで食器等を洗うために用いられる液体洗剤容器は、略円筒形の容器にツマミ部が取り付けられ、そのツマミ部を上げることで開口するものである。この液体洗剤容器の使い方は、ツマミ部を上げて開口させた後、液体洗剤容器を倒立させた状態で容器を片方の手で押圧し、容器内部の圧力を高めて液体洗剤を吐出し、もう一方の手に持ったスポンジなどに液体洗剤を塗布するのが普通である。そのため、食器の洗浄中にスポンジに液体洗剤を吐出させる場合は、食器等を手離す必要があり、非効率的であった。
このような課題に鑑みて、片手のみで液体洗剤を供給することができる液体注出器とそれを壁面等に適時の角度で壁面に取付ける液体注出器支持装置が提案されている（例えば、特許文献１参照）。
【先行技術文献】
【特許文献】
【０００３】
【特許文献１】実公昭４３−０３１８９７号公報
【発明の概要】
【発明が解決しようとする課題】
【０００４】
しかしながら、上記特許文献に記載された考案は、水道栓の近傍の壁面等にビスあるいは接着剤等で装着される液体注出器支持装置であるため、一度装着してしまうと取付位置を容易に変更することができず、また、取付位置の変更には取付場所の壁面等を損傷してしまうなどの欠点がある。さらに、この液体注出器支持装置に支持される液体注出器は、ある程度の量の液体洗剤を貯溜する構造のため大型化してしまい、それを流し台の近くに設置するとなると場所をとってしまう欠点があった。したがって、一般的な住居の流し台付近に場所を取らずに小型で容易に設置することができるとともに、台所用品又は洗剤吐出具その他の用品を所望の位置及び角度で保持することが可能なホルダーを提供することを目的とする。
【課題を解決するための手段】
【０００５】
上記課題に鑑み、本発明のホルダーは、流し台周辺の壁面又は縁に取付け得る取付部材と、台所用品又は洗剤吐出具その他の用品を保持する保持部材と、からなり、前記取付部材は、湾曲状のアーム部と、該アーム部の両端に回動自在に軸支される吸着部と、前記アーム部の長手方向に形成されるガイド孔と、を備え、前記保持部材は、前記ガイド孔に摺動自在に固定させ得る固定手段を有することを特徴とする。
【０００６】
また、上述した構成に加え、固定手段は、保持部材に形成された雌ねじ部と、取付部材のガイド孔に嵌挿するとともに前記雌ねじ部にねじ込んで締め付け得る雄ねじ部を有する締結具と、からなり、前記取付部材のアーム部には、前記締結具と当接する凹凸面を有することが好ましい。
【０００７】
また、上述した構成に加え、保持部材は、液体洗剤容器を倒立して保持する第一係合部と、液体洗剤を吐出する液体吐出具を係合する第二係合部と、を有することが好ましい。
【０００８】
また、上述した構成に加え、液体吐出具は、液体洗剤を貯溜する貯溜部と、前記貯溜部内に備えるポンプと、該ポンプを圧縮するレバーと、からなり、前記貯溜部の下端に吐出口を設け、前記吐出口にレバーを嵌挿したとき、レバー上部を前記吐出口に嵌合し、レバー下部を前記貯溜部の下方に露出して配置することが好ましい。
【０００９】
また、上述した構成に加え、ポンプの下部に、レバー上部を嵌合する空気孔を設け、前記空気孔と前記レバー上部との間に間隙を有することが好ましい。
【発明の効果】
【００１０】
請求項１記載の発明よれば、流し台周辺の壁面のみならず、垂直面と平面とからなる流し台の縁部に取付け得る取付部材を提供することができるとともに、ガイド孔に摺動自在に固定させ得る固定手段によって、取付部材の取付けた位置に応じて、台所用品又は洗剤吐出具その他の用品を保持する保持部材を所望の位置及び角度に配置することが可能である。
【００１１】
請求項２記載の発明によれば、取付部材に形成された締結具と当接する凹凸面により摩擦力を強くすることができ、保持部材をより強固に固定することができるとともに、保持部材で保持する台所用品又は洗剤吐出具その他の用品の重量又は取り外し等の使用時に生じるズレを防止することが可能である。
【００１２】
請求項３記載の発明によれば、液体洗剤容器及び液体吐出具を係合して保持することで、液体洗剤容器を倒立した状態で保持することができるとともにその液体吐出具を保持することで、片手のみで液体洗剤容器から液体洗剤を吐出させることが可能である。
【００１３】
請求項４記載の発明によれば、液体吐出具の貯溜部の下端に直接吐出口を設け、そこにレバー上部で嵌合させ、スポンジをレバー下部に押し付けて上下運動させることで、吐出口を開口すると同時に、ポンプを圧縮して液体洗剤容器に空気を送り液体洗剤をスポンジに供給することができる。したがって、吐出部や開閉弁を新たに設ける必要がなく、液体吐出具を小型化することが可能である。
【００１４】
請求項５記載の発明によれば、液体吐出具のポンプとレバーとの嵌合部に間隙を有しているため、ポンプ内部から貯溜部への流路を形成できる。したがって、新たに吐出口までの流路を別途管などで構成する必要がなく、液体吐出具をより小型化することができる。
【図面の簡単な説明】
【００１５】
【図１】本発明の実施形態に係るホルダーの一例を示す斜視図で、保持部材で液体吐出具が保持された状態を示す。
【図２】図１のホルダーの取付部材を流し台周辺の(a)壁面に固定した状態、及び、(b)縁に固定した状態、を示す側面断面図である。
【図３】図１の液体吐出具及び保持部材を示す(a)分解側面図、及び、(b)分解側面断面図である。
【図４】図３のホルダーの(a)レバーで吐出口を封止した状態、及び、(b)レバーを押し上げて液体を吐出する状態、を示す側面断面図である。
【発明を実施するための形態】
【００１６】
本発明の実施形態について図に基づいて詳細に説明する。ここで、台所用品又は洗剤吐出具３０その他の用品とは、スポンジ４０、液体洗剤容器Ｂなど、台所や洗面所などの流し台回りに常時配置されるものであり、図１に示すように、液体吐出具３０を保持部材２０で保持したホルダー１００を例示して本実施形態を説明する。
【００１７】
ホルダー１００は、図１及び図２に示すように、流し台周辺の壁面Ｓ１又は縁（垂直面Ｓ２、平面Ｓ３）に取付ける取付部材１０と、液体吐出具３０と、液体洗剤容器Ｂを係合保持する保持部材２０と、取付部材１０に保持部材２０を締結具２３で締め付けて固定させ得る固定手段と、を主要部として構成されるものである。  
【００１８】
取付部材１０は、湾曲状（例えば、半円形状）の平板からなるアーム部１１と、アーム部１１の両端１１a、１１aに回動自在に軸支される吸着部１２、１２（例えば、吸着盤や磁石など）と、アーム部１１の長手方向の外周面（図面上、保持部材２０側）からその裏面（内周面）側まで貫通するガイド孔１３と、アーム部１１の裏面側であって少なくともガイド孔１３の周囲に形成される凹凸面１４と、からなるものである。
【００１９】
保持部材２０は、図４に示すように、その中央を液体洗剤容器Ｂのツマミ部Ｂ１と係合し得るように切り欠いて形成した第一係合部２１と、この第一係合部２１から延設して形成される雌ねじ部２２と、からなるものである。また、保持部材２０は、後述する液体吐出具３０の係合溝３１ｂと係合し得るように略円弧状に突出した第二係合部２５を有するものとするとよい。
【００２０】
固定手段は、図２に示すように、締結具２３を凹凸面１４側からガイド孔１３に嵌挿した後、保持部材２０の雌ねじ部２２にねじ込んで締め付け、締結具２３と保持部材２０とでアーム部１１を挟持して所定の位置に保持部材２０を固定するものである。このとき、締結具２３と凹凸面１４との間を隙間なく固定するために、凹凸面１４の形状に適した受部（ワッシャー）２４を介挿するとよい。この受部（ワッシャー）２４は、凹凸面１４と同じ凹凸を有するものや、このような凹凸を有しない場合でもこれに噛み合うような弾力性のある樹脂材で形成されたものが好ましい。さらに、締結具２３を緩めれば、例えば図２(ｂ)の矢印方向に、保持部材２０をガイド孔１３に沿って摺動させることができ、任意の位置及び角度に変更することが可能である。
【００２１】
次に、上述した保持部材２０の第二係合部２５に係合して保持する液体吐出具３０について図面に基づいて詳細に説明する。
【００２２】
液体吐出具３０は、図３に示すように、液体洗剤Ｌを貯溜する貯溜部３１と、この貯溜部３１内に設けられたポンプ３３と、このポンプ３３に装着させ得るレバー３２と、保持部材２０の第二係合部２５とを係合させ得る係合溝３１ｂと、からなるものである。
【００２３】
貯溜部３１は、両端に開孔部を有する略円筒状に形成され、その一方の開孔部が液体洗剤Ｌを吐出する吐出口３１ａとされ、他方の開孔部には保持部材２０の第二係合部２５と係合し得る係合溝３１ｂが形成されている。この吐出口３１ａの口径はレバー３２を吐出口３１ａに嵌挿させたときに、レバー上部３２ａを嵌合させ得る大きさである。また、吐出口３１ａをレバー上部３２ａで閉じているため、液体洗剤Ｌを貯溜部３１内に貯溜することができる。
【００２４】
このレバー３２は、細長の略円柱状に形成され、ポンプ３３下部の空気孔３３ｂと嵌合する凸部を有するレバー上部３２ａと、長手方向の凹凸形状を有するレバー下部３２ｂと、からなるものである。さらに、レバー上部３２ａは、貯溜部３１の吐出口３１ａに嵌合させたとき適度な摩擦力を発生するようにゴム等の弾性部材からなるリング３２ｃを巻回させて外径の大きさを調整することができるようにするとよい。
【００２５】
ポンプ３３は、弾性を有する素材により内部が中空となるように形成され、その上部と下部に空気孔３３ａ、３３ｂが設けられている。下部の空気孔３３ｂは、図３(b)に示すように、レバー上部３２ａの突起が嵌合したとき、その一部に間隙３３ｃを有するように形成されている。また、上部の空気孔３３ａは液体洗剤容器Ｂのツマミ部Ｂ１の吐出口と同程度の大きさに形成している。
【００２６】
また、上述した液体吐出具３０の使用方法について図４に基づいて詳細に説明する。まず、図４(a)に示すように、液体吐出具３０のレバー３２で吐出口３１ａを封止した状態によって、貯溜部３１に液体洗剤Ｌが貯溜されている。次に、図４(b)に示すように、スポンジ４０でレバー３２をポンプ３３側（上方向）に押し上げることで閉じられていた吐出口３１ａが開放され、貯溜部３１に溜まっていた液体洗剤Ｌがレバー３２の外表面を伝ってスポンジ４０へ吐出される。また、それと同時に、ポンプ３３内部の空気が圧縮され、上部の空気孔３３ａから液体洗剤容器Ｂ内に空気が注入されて、液体洗剤容器Ｂから液体洗剤Ｌが吐出される。その後、レバー３２を先程とは反対の方向（下方向）へ戻すとともに、液体洗剤容器Ｂから吐出された液体洗剤Ｌがポンプ３３内部へと流入し、下部の空気孔３３ｂの間隙３３ｃから貯溜部３１へと供給される。
【００２７】
したがって、上述のように構成したホルダーによれば、湾曲状としたアーム部１１及び回動自在に軸支されている吸着部１２、１２によって、流し台周辺の壁面Ｓ１のみならず、縁（垂直面Ｓ２、平面Ｓ３）に吸着して固定することができるとともに、取付けた取付部材１０の位置に応じて保持部材２０を所望の位置及び角度に配置することが可能であるため、液体吐出具３０などの液体洗剤Ｌを下方に吐出するものに適している。また、締結具２３と当接する取付部材１０の凹凸面１４によって摩擦力を増やし、保持部材２０で保持する台所用品又は洗剤吐出具３０その他の用品の重量によりズレることなく固定することが可能である。液体洗剤容器Ｂ及び液体吐出具３０を係合して保持した状態で流し台に固定することで、片手のみで液体洗剤Ｌを吐出させることが可能である。
【００２８】
また、液体吐出具３０のポンプ３３とレバー３２との嵌合部に間隙３３ｃが形成され、かつ、レバー３２を上下方向に押し上げ又は引き下げることで貯溜部３１の吐出口３１ａの開閉を行っているため、液体洗剤Ｌの貯溜部３１への流路を形成することができるとともに液体洗剤Ｌの吐出を同時に行うことが可能である。そのため、新たに吐出口３１ａまでの流路を管などで構成する必要がなく、液体吐出具３０を液体洗剤容器Ｂのツマミ部Ｂ１程度の大きさに小型化することができる。
【００２９】
また、液体洗剤容器Ｂのツマミ部Ｂ１のみを係合するだけでホルダー１００の保持部材２０に液体洗剤容器Ｂを保持することができるため、液体洗剤Ｌを消費した場合、詰替え用の液体洗剤容器Ｂのみを取り替えればよく、その都度、液体吐出具３０を外す手間がかからない。
【００３０】
上記の実施形態では本発明の好ましい実施形態を例示したが、本発明は上記の実施形態に限定されるものではなく、特許請求の範囲に記載した範囲内で改善や変更が可能である。例えば、保持部材２０の第一係合部２１及び第二係合部２５がスポンジ４０などを係止して保持させ得るようなものに変更してもよい。
【符号の説明】
【００３１】
100…ホルダー、10…取付部材、11…アーム部、11ａ…軸、12…吸着部、13…ガイド孔、14…凹凸面、20…保持部材、21…第一係合部、22…雌ねじ部、23…締結具、24…受部（ワッシャー）、25…第二係合部、26…雄ねじ部、30…液体吐出具、31…貯溜部、31ａ…吐出口、31ｂ…係合溝、32…レバー、32ａ…レバー上部、32ｂ…レバー下部、32ｃ…リング、33…ポンプ、33ａ、33ｂ…空気孔、33ｃ…間隙、40…スポンジ、Ｂ…液体洗剤容器、Ｂ１…ツマミ部、Ｌ…液体洗剤、Ｓ１…壁面、Ｓ２…垂直面（縁）、Ｓ３…平面（縁）
【図１】
2018000555.tif 000003
【図２】
2018000555.tif 000004
【図３】
2018000555.tif 000005
【図４】
2018000555.tif 000006